(57)【要約】【課題】  高価な携帯型のＣＡＴ端末を使用することなく、携帯電話を使用してスムーズに決済を行うことができる方法及びシステムを提供する。【解決手段】  第１の携帯電話（外交員の携帯電話）で所定のデータ（ＩＤ、契約書番号、金額など）を入力し、当該データをバーコード変換サーバへ送り、決済用のバーコードに変換する（１００〜１０２）。当該バーコードを第１の携帯電話へ送り、その画面にバーコードを表示させる（１０３、１０４）。第２の携帯電話（お客様の携帯電話）で当該バーコードを撮影し読み取る（１０５）。読み取ったバーコードを解読し（１０６）、ＡＰサーバへバーコードの解読データを送信し（１０７、１０８）、ＡＰサーバで決済を実行するための情報を生成し（１０９）、ＡＰサーバから決済サーバへ情報を送信する（１１０）。決済サーバで決済処理を実行すると、その結果がＡＰサーバ、携帯電話へ返される（１１１〜１１６）。【選択図】              図２
2008217277.tif 000002
【特許請求の範囲】
【請求項１】
クレジットカード等によるネット決済を実行するための方法であって、
第１の携帯電話で、バーコード変換サーバにログインするステップと、
契約書番号、金額などの商品を特定するデータを前記バーコード変換サーバへ送信するステップと、
前記バーコード変換サーバで、決済用のバーコードを生成するためのデータを予め記憶しているデータベースに基づき前記データを費用請求に係るデータを含むバーコードへ変換するステップと、
前記バーコードを前記第１の携帯電話へ送信するステップと、
受信した前記バーコードを前記第１の携帯電話の画面に表示するステップと、
第２の携帯電話で前記バーコードを読み取るステップと、
読み取った前記バーコードを解読するステップと、
前記第２の携帯電話のユーザが予め登録を受けている決済処理用のサーバに前記第２の携帯電話でアクセスし、前記決済処理用のサーバの認証を受けるステップと、
認証をパスしたとき、前記第２の携帯電話から前記決済処理用のサーバへ前記バーコードの解読データを送信するステップと、
前記決済処理用のサーバに予め登録された前記ユーザの情報及び前記バーコードの解読データに基づき決済を実行するための情報を生成するステップと、
前記決済処理用のサーバで決済処理を実行するステップと、を備える携帯電話バーコード決済方法。
【請求項２】
前記決済処理用サーバから前記第１及び第２の携帯電話へ決済処理の結果を送信するステップと、
前記第１及び前記第２の携帯電話の画面に決済処理の結果を表示するステップと、を備える請求項１記載の携帯電話バーコード決済方法。
【請求項３】
クレジットカード等によるネット決済を実行するための方法であって、
パソコンに、契約書番号、金額などの商品を特定するデータを入力するステップと、
前記パソコンで、決済用のバーコードを生成するためのデータを予め記憶しているデータベースに基づき前記データを費用請求に係るデータを含むバーコードへ変換するステップと、
前記バーコードを前記パソコンの表示装置の画面に表示するステップと、
携帯電話で前記バーコードを読み取るステップと、
読み取った前記バーコードを解読するステップと、
前記携帯電話のユーザが予め登録を受けている決済処理用のサーバに前記携帯電話でアクセスし、前記決済処理用のサーバの認証を受けるステップと、
認証をパスしたとき、前記携帯電話から前記決済処理用のサーバへ前記バーコードの解読データを送信するステップと、
前記決済処理用のサーバに予め登録された前記ユーザの情報及び前記バーコードの解読データに基づき決済を実行するための情報を生成するステップと、
前記決済処理用のサーバで決済処理を実行するステップと、を備える携帯電話バーコード決済方法。
【請求項４】
外交員などが持つの第１の携帯電話と、ユーザの第２の携帯電話と、バーコード変換サーバと、前記バーコード変換サーバに接続されたデータベースと、決済処理用のサーバとを備え、
前記バーコード変換サーバは、前記第１の携帯電話から受けたＩＤ，契約書番号、金額などのデータに基づき前記データベースを参照して、決済用のバーコードを生成し、  前記データベースは、前記決済用のバーコードを生成するためのデータを予め記憶し、
前記第１の携帯電話は、前記バーコードを受けてこれを画面に表示し、
前記第２の携帯電話は、表示された前記バーコードを読み取り、
前記決済処理用のサーバは、前記第２の携帯電話から前記バーコードを受けて決済処理を行う、ことを特徴とする携帯電話バーコード決済システム。
【請求項５】
ユーザの携帯電話と、予め定められたデータを記憶しているデータベースを含むパソコンと、決済処理用のサーバとを備え、
前記パソコンは、入力されたＩＤ，契約書番号、金額などのデータに基づき前記データベースを参照して、決済用のバーコードを生成し、当該バーコードを表示装置に表示し、
前記データベースは、前記決済用のバーコードを生成するためのデータを予め記憶し、
前記第携帯電話は、表示された前記バーコードを読み取り、
前記決済処理用のサーバは、前記携帯電話から前記バーコードを受けて決済処理を行う、ことを特徴とする携帯電話バーコード決済システム。
【発明の詳細な説明】
【技術分野】
【０００１】
この発明は、携帯電話を使用することで、ユーザがコンビニ等へ出向くことなく、料金を支払うことができる携帯電話バーコード決済方法及びシステムに関する。特に、請求書にバーコードが表示されていない場合にもバーコードによる決済が可能であり、しかも高価なＣＡＴ（Credit Authorization Terminal）端末を使用する必要のないもの、に関する。
【背景技術】
【０００２】
近年、コンビニでは、電話・電気・ガスの使用料、ＮＨＫの聴取料、税金等の公共料金の受領代行サービスを提供している場合が多い。これらサービスは、料金請求元が複数枚つづりの請求書を印刷作成して顧客に送付し、この請求書を顧客がコンビニに持参し、コンビニ店員による料金種目と金額の確認とレジスタによる料金受領、受領確認印の押印、領収書頁の切り離し／受け渡しを行い、さらに料金請求元への入金通知と手数料処理をした送金という一連の処理でなされている。
【０００３】
従来のコンビニ決済サービスでは、１回の支払い代行業務に多くの手間を必要とすること、コンビニ商品の販売業務に比べて時間がかかり過ぎること、伝票処理業務に店員の負担が大きいこと、受領料金の読み取りに間違いを起こし易いこと、料金請求元への入金通知などの手間を必要とするなどの問題があった。
【０００４】
また、料金請求元は、個人宛ての請求書の発行／送付という請求事務経費と手間を必要とし、入金までの徴収に時間がかかり、多数のコンビニからの入金業務・管理を行うシステムを用意する必要があった。
上記課題を解決するものとして、特許文献１に記載された発明がある。
【０００５】
【特許文献１】特開２００３−２１６８８２号公報「コンビニ決済支援システム」  顧客が所有する携帯電話等の携帯端末の通信機能を利用し、料金請求元またはコンビニ決済支援センターから、インターネット等を通して顧客の携帯端末へ請求情報を送信し、この情報を受信した顧客が携帯端末とコンビニ端末機との間で請求情報をやり取りし、コンビニ端末機とセンターとの間で請求情報の確認をし、この操作でコンビニ端末機からセンターへの入金情報を送信すると共に顧客に領収書を発行する。
【発明の開示】
【発明が解決しようとする課題】
【０００６】
特許文献１記載の発明は、ユーザが携帯電話を持ってコンビニに行き、そこで料金を支払う必要がある。しかし、ユーザがコンビニに出向くことなく、公共料金等の支払いができれば便利であり、例えば、自分の持っている携帯電話で料金の支払いができるのであれば、いつでもどこでも手続可能であり、非常に便利である。
【０００７】
ところで、上記従来のような手続きで料金を支払うことができるのは、請求書にバーコードが表示されているものであった。当該バーコードをコンビニのＰＯＳで読み取ることにより料金の支払いの支払処理をスムーズに行うことができる。請求書にバーコードが表示されていない場合でも支払処理をスムーズに行うことができれば便利である。
【０００８】
そのような支払処理を行う装置として、いわゆるＣＡＴ端末が知られている。CATとはCredit Authorization Terminalの略であり、クレジットの決済が可能な端末装置であり、据え置き型と携帯型のものがある。携帯型のＣＡＴ端末は、例えば、宅配便の代金引換払に使用されている。宅配便業者が商品を届ける際に、お客様のクレジットカードの情報を入力することで、クレジットでの決済を行うことができる。
【０００９】
宅配便の代金引換払などのシーンにおいて携帯型のＣＡＴ端末は非常に便利であるが、問題もある。携帯型のＣＡＴ端末は高価で、宅配便業者担当者全員に行き渡っていない。そのため、クレジットカード支払いを希望すると、宅配便業者が営業所に戻り、携帯型のＣＡＴ端末を持参しなければならないことが多い。携帯型のＣＡＴ端末が出払っているときは、お客様への商品のお届に時間を要することにもなる。他方、お客様宅を訪問して料金を回収する場合は、管理上・安全上の観点から、なるべく現金の授受を避けたいという要望がある。特に、小口の現金を扱う場合はそうである。しかし、携帯型のＣＡＴ端末は高価であり、設備投資額が大きくなり、おいそれと実現することはできない。
【００１０】
本発明は、上記課題を解決するためになされたもので、バーコードを使用した決済システムをお客様宅を訪問して料金を回収するビジネスモデルに適用するための方法及びシステムを提供することを目的とする。すなわち、高価な携帯型のＣＡＴ端末を使用することなく、携帯電話を使用してスムーズに決済を行うことができ、しかも請求書にバーコードが表示されていなくても適用可能な方法及びシステムを提供することを目的とする。
【課題を解決するための手段】
【００１１】
この発明は、クレジットカード等によるネット決済を実行するための方法であって、
第１の携帯電話で、バーコード変換サーバにログインするステップと、
契約書番号、金額などの商品を特定するデータを前記バーコード変換サーバへ送信するステップと、
前記バーコード変換サーバで、決済用のバーコードを生成するためのデータを予め記憶しているデータベースに基づき前記データを費用請求に係るデータを含むバーコードへ変換するステップと、
前記バーコードを前記第１の携帯電話へ送信するステップと、
受信した前記バーコードを前記第１の携帯電話の画面に表示するステップと、
第２の携帯電話で前記バーコードを読み取るステップと、
読み取った前記バーコードを解読するステップと、
前記第２の携帯電話のユーザが予め登録を受けている決済処理用のサーバに前記第２の携帯電話でアクセスし、前記決済処理用のサーバの認証を受けるステップと、
認証をパスしたとき、前記第２の携帯電話から前記決済処理用のサーバへ前記バーコードの解読データを送信するステップと、
前記決済処理用のサーバに予め登録された前記ユーザの情報及び前記バーコードの解読データに基づき決済を実行するための情報を生成するステップと、
前記決済処理用のサーバで決済処理を実行するステップと、を備えるものである。
【発明を実施するための最良の形態】
【００１２】
消費財の販売・予約や金融サービスの分野でインターネットの利用が拡大している。ブロードバンドの普及など利便性向上で、利用者のすそ野が広がるなか、本発明は、新たに携帯電話を使用する収納代行システムを提供するものである。
【００１３】
本発明の実施の形態は、24時間、どこにいても支払いできる簡単なシステムを提供する。すなわち、携帯電話を使用してサーバにアクセスし、決済用のバーコードを生成・表示することで、クレジットカード等によるネット決済を提供する。これにより、何時でも、誰でも、簡単にネット決済が出来るようになり、料金支払いのためにコンビニに出かける必要はない。しかも、高価な携帯型のＣＡＴ端末は不要になる。
【００１４】
以下、発明の実施の形態に係る方法及びシステムについて図面を参照して説明を加える。
図１は、発明の実施の形態に係るシステムの概略図である。
図２は、発明の実施の形態に係る方法の概略フローチャートである。
図３〜図７は、外交員（例えば宅配業者）が操作する第１の携帯電話の画面例を示す。
【００１５】
図１に示すように、発明の実施の形態に係るシステムは、外交員が操作する第１の携帯電話ＣＰ１、お客様（クライアント）が操作する第２の携帯電話、公衆通信回線、バーコード変換サーバＳＶ１、データベースＤＢ、及び、ＡＰサーバ・決済サーバＳＶ２からなる。
【００１６】
バーコード変換サーバＳＶ１は、第１の携帯電話ＣＰ１から受けたＩＤ、販売品、金額などのデータに基づきデータベースＤＢを参照して、決済用のバーコードを生成するものである。当該バーコードは、請求書に表示されている従来のバーコードに相当するものである。すなわち、第１の携帯電話ＣＰ１からのＩＤ、販売品、金額などのデータは、決済用のバーコードに変換される。データベースＤＢには、当該変換を行うためのデータ（ＩＤに対応するクライアントコード、クレジットカードなどの決済に必要なデータ、販売品に対応する金額や割引率などのデータ、等々）が予め記憶されている。
【００１７】
ＡＰサーバ・決済サーバＳＶ２は、変換されたバーコードを受けて決済処理を行うものである。
【００１８】
次に、図２を参照して発明の実施の形態に係る方法について説明を加える。
外交員（宅配便担当者など）がお客様宅を訪問し、依頼を受けて決済を行う場合、まず、バーコード変換サーバＳＶ１にログインする（１００）。ログインの画面を図３に示す。
【００１９】
ログインしたら、所定のデータをバーコード変換サーバＳＶ１へ送信する（１０１）。当該データは、お客様の当該決済を行うために必要なバーコード（従来の請求書に表示されたバーコードに相当）を生成するために必要なものである。当該データは、例えば、外交員ＩＤ、契約書番号、金額である。当該データを入力する画面を図４に示す。
【００２０】
第１の携帯電話ＣＰ１からデータを受けて、バーコード変換サーバＳＶ１は、当該データを決済に必要なバーコードに変換する（１０２）とともに、変換したバーコードを第１の携帯電話ＣＰ１へ送る（１０３）。第１の携帯電話ＣＰ１は、受けた当該バーコードを画面に表示する（１０４）。バーコードの表示画面の例を図５に示す。
【００２１】
第１の携帯電話ＣＰ１に表示されたバーコードを、第２の携帯電話ＣＰ２で読み取る（１０５）。以下、当該バーコードに基づき決済処理を行う（１０６〜１１６）。なお、決済処理についてはさらに後述する。
【００２２】
第２の携帯電話で当該バーコードを解読し（１０６）、ＡＰサーバにアクセスし（１０７）、バーコード解読データを送る（１０８）。バーコード解読データを受けて、ＡＰサーバは決済情報を生成する（１０９）。ＡＰサーバは決済サーバに対して決済要求を送り（１１０）、決済サーバで決済処理を行い（１１１）、決済結果をＡＰサーバへ返す（１１２）。ＡＰサーバから第１及び第２の携帯電話へ決済結果を送り（１１３、１１５）、それぞれの携帯電話で決済結果を表示する（１１４、１１６）。決済結果が送られてくるまでの間には、図６のような画面が第１の携帯電話ＣＰ１に表示され、決済結果が送られてきたら、図７のような画面が表示される。この時点で決済は完了する。
【００２３】
なお、第１の携帯電話ＣＰ１に代えて、パソコンを使用することもできる。これで、据え置き型ＣＡＴ端末を置き換えることができる。この例を図８及び図９に示す。パソコンＰＣは、第１の携帯電話ＣＰ１とバーコード変換サーバＳＶ１をひとつにしたものと言える。その動作は図１及び図２の場合と同じであるので、その説明は割愛する。
【００２４】
発明の実施の形態は、次のような特長を備える。
・高価な携帯用のＣＡＴ端末が不要になる。
・現金の授受がないので、小口現金管理が不要になる。
・現金の取り扱いがない為、振込み手数料が不要になる。
・簡単な操作で誰でも回収可能、しかも、その場で確認が出来る。
・外交員がクレジットカードを預かることがなく、お客様の目の前で決済を行うので、クレジットカードが悪用されるのではないかというお客様の不安を解消することができる。いわゆるスキミングの心配がなくなる。
【００２５】
・携帯用のＣＡＴ端末とは異なり、イベントなどの期間が決まっているシーンでも対応可能である。
・携帯電話をそのまま利用するので、固定の電話回線は不要である。
・決済情報を他の顧客管理システムなどに簡単に応用できる。
・複数の外交員の決済状況をまとめて管理できる。
・お客様から見れば、クレジットカードを相手に手渡す必要がなく安心できる、クレジットカード・ネットバンクから簡単に支払いできる、というメリットがある。
・本発明は、クレジットカードの決済の他に、いわゆるインターネット専業銀行（ネット銀行）のネット支払い、一般の銀行のいわゆるモバイルバンキングの支払いにも適用できる。
【００２６】
発明の実施の形態は、次のようなシーンで利用可能である。
・大規模店舗での顧客の目の前での即時決済 
・訪問販売 
・小規模病院 
・往診など出先での決済 
・レストランなどの「卓上決済」 
・運転代行業 、個人タクシ
・多店舗ファッションビル、屋台、露天販売
・イベント会場、催事場などでの展示販売 
・宅配便、軽貨物およびバイク便などの輸送業 
・宅配ピザ、ケータリングなど
【００２７】
次に、図１４の符号１０６〜１１６の処理及びこのためのシステムについてさらに説明を加える。なお、以下の説明は、携帯電話を用いたバーコードに基づく決済処理の一般的な説明であり、上述の方法及びシステムに関して特有の点に関しては、その都度説明を補足する。
【００２８】
図１０は本発明の実施の形態（バーコードに基づく決済処理）に係るシステムの全体を示すブロック図である。
【００２９】
本発明の実施の形態（バーコードに基づく決済処理）に係るシステム／方法は次のサービスを提供する。
（１）既にコンビニ・銀行・郵政公社にて行っているバーコード付き請求書の支払いを携帯電話を利用していつでも・どこでも支払いが自分の携帯電話を利用して気軽に行えるサービス
（２）公共料金緊急依頼ペイメントシステム：急な転居等、緊急時、未払いの請求時に、携帯電話さえあれば支払いが可能なサービス
契約している企業にリアルタイムで決済の完了通知が届くので、すぐにユーザは再開、使用することが可能になる。
図中、ＣＰはバーコード読み取り機能付き携帯電話である。ほとんどの携帯電話はカメラ機能を備えているが、カメラを使ってバーコードを撮影し、多くの携帯電話はさらに画像処理によりバーコードを解読する機能を持っている。
【００３０】
負荷分散器１１〜トランザクションＬＯＧ記憶部２６は、本発明の実施の形態（バーコードに基づく決済処理）に係る方法を提供するためのシステムの構成要素の一部を示す。符号１２と１３はフロント系サーバである。符号２２と２３はバックオフィス系サーバである。
【００３１】
本発明の実施の形態（バーコードに基づく決済処理）に係るシステムは、電子マネーサービス会社の電子マネーサービスサーバ３や、決済センタのクレジット決済サーバ４、銀行・郵便貯金系決済サーバ５と通信を行う。
【００３２】
図１１は本発明の実施の形態（バーコードに基づく決済処理）に係るシステムの処理を示すフローチャートである。以下、図１０及び図１１を参照して本発明の実施の形態（バーコードに基づく決済処理）に係るシステム／方法の動作について説明を加える。
【００３３】
本発明の実施の形態（バーコードに基づく決済処理）に係るシステム／方法を実行するには、バーコード読み取り機能付き携帯電話ＣＰにアプリケーションプログラムをダウンロードしておく。当該プログラムにより、当該携帯電話は超小型のインターネット接続のコンピュータとして機能する。
【００３４】
当該プログラムにより、当該携帯電話はＣＶＳ(Convenience Store)のＰＯＳスキャナーと同じ機能を持つことになり、いわば４０００万台以上のＣＶＳ決済用のPOSスキャナーを提供することができる。
【００３５】
バーコード読み取り機能付き携帯電話で本発明の実施の形態（バーコードに基づく決済処理）に係るプログラムを実行する（Ｓ１）。
【００３６】
ユーザが、図１２の携帯電話の画面に表示されるメニューで「支払い開始」を選択する。当該選択を受けて、以下に説明する携帯電話は支払い処理を実行する（Ｓ２）。
【００３７】
ユーザが、図１３の携帯電話のバーコード読み取り画面で「読取」ボタンを押す。これを受けて、携帯電話はカメラ（又はバーコードリーダ）を起動する（Ｓ３）。
【００３８】
ユーザが、カメラをバーコード付き収納票(請求書）に向けて、携帯電話で印刷されているバーコードを撮影する（第２の形態電話ＣＰ２で、第１の携帯電話ＣＰ１の画面に表示されたバーコード（図５参照）を撮影する）。携帯電話は撮影画像を処理し、撮影されたバーコードを解読する（Ｓ４）。図１４に示すように、複数の請求書のバーコードを撮影することができる。携帯電話は、ＪＡＮコードやＱＲコードを読み取り、その内容を解読する機能を備えているものとする。
【００３９】
請求書に表示されているバーコードには３段と４段のものがあり、前者は企業名、ファイナンスコード、金額コードが含まれ、後者はさらに支払い期日コードが含まれる。バーコードのデコードは携帯電話において行われ、デコードしたデータがサーバへ送られる。
【００４０】
なお、最近はＥＡＮコード(European Article Number)も使用されている。これは１２８ビットのコードであり、１段の表示で済む。このコードを携帯電話で解析するためのデコーダがないため、携帯電話から専用の画像解析サーバ（図示しない）へ画像を送り、当該画像解析サーバでデコードし、その結果を携帯電話へ返すようにしている。返されたデータに基づき携帯電話で表示を行っている。この点を除き、ＥＡＮコードの処理は、ＪＡＮコードなどの処理と同じである。
【００４１】
全ての請求書のバーコードの撮影が終わったら、ユーザは「読み取りを終了  次へ」のボタンを押す。「読み取りを終了  次へ」のボタンが押されたら（Ｓ５でＹＥＳ）、携帯電話はサーバへの接続処理を開始する（Ｓ６）。図１５はサーバへの接続画面を示す。この際の認証は、携帯電話の認証機能を使用できる。
【００４２】
決済に必要なデータは、個人情報としてクレジット払いに関する情報（カード番号、有効期限、CVC番号）、銀行・郵便貯金引き落としに関する情報（名前、銀行名、支店名、口座（普・当）、口座番号）である。これらのデータが決済サーバへ送られる。
【００４３】
携帯電話は、支払い先・支払い方法の画面（図１６）を表示するとともに、ユーザによる支払い方法の選択及び「次へ」のボタンの操作を待つ（Ｓ７）。クレジットカードの登録が未だの場合は、図１７の画面を表示してその入力を促す。
【００４４】
携帯電話は、図１８及び図１９の確認画面を表示するとともに、ユーザによるパスワードの入力を待つ。
携帯電話は、パスワードの入力を受けたら認証処理を行い、認証をパスしたら決済に必要な情報を決済用サーバへ送る（Ｓ９）。
【００４５】
決済サーバからの応答が、当該決済の承認であれば（Ｓ１０で承認）、携帯電話は図２０の支払い完了画面を表示する（Ｓ１１）。承認されない場合は（Ｓ１１で拒否）、支払い不能画面を表示する（Ｓ１２）。
【００４６】
発明の実施の形態（バーコードに基づく決済処理）によれば、カメラ付き携帯電話に付いているJANコード、QRコードの読み取り機能を利用して、バーコード付きの公共料金等の請求書を、自分で、いつでも好きな時に自宅・会社などどこでも支払うことができるようになった。携帯電話さえあれば、いつでも、どこでも、24時間支払い可能であり、簡単、安心、キャッシュレスなシステムを提供できる。
【００４７】
発明の実施の形態（バーコードに基づく決済処理）によれば、ユーザが持っている各社のクレジットカードを、サービス利用中にユーザＩＤ毎に登録するので、次回は入力を省いて決済を行うことが可能となり決済にかかる時間も大幅に短縮される。クレジットカードのほかに、ネット銀行を利用した支払も可能である。
【００４８】
契約会社側(電気、ガス等会社）から見れば、発明の実施の形態（バーコードに基づく決済処理）に係るシステム／方法から受取るデータは、従来のコンビニ決済の収納データと同じように受け取ることが出来るため、回収システムの新規投資は不要であり、その導入は極めて簡単である。契約会社はすでにコンビニから受け取るシステムがあるので、あたかも新しいコンビニ口座を開設する程度の手間しかかからない。
【００４９】
なお、他にも、緊急依頼決済機能として、緊急で送られた決済情報を表示し、決済を行う機能を備えてもよい。
また、バーコード判別機能として、読み取ったバーコードより、商品を判別する機能を備えていてもよい。
また、決済履歴機能として、過去の決済データを表示する機能を備えていてもよい。
また、赤外線などの通信により、携帯電話からプリンタでデータを送り、領収書を発行するようにしてもよい。
【００５０】
本発明は、以上の実施の形態に限定されることなく、特許請求の範囲に記載された発明の範囲内で、種々の変更が可能であり、それらも本発明の範囲内に包含されるものであることは言うまでもない。
【図面の簡単な説明】
【００５１】
【図１】発明の実施の形態に係るシステムの概略ブロック図である。
【図２】発明の実施の形態に係るシステムの処理フローチャートである。
【図３】発明の実施の形態に係るシステムの動作を説明するための、携帯電話画面の例である。
【図４】発明の実施の形態に係るシステムの動作を説明するための、携帯電話画面の例である（続き）。
【図５】発明の実施の形態に係るシステムの動作を説明するための、携帯電話画面の例である（続き）。
【図６】発明の実施の形態に係るシステムの動作を説明するための、携帯電話画面の例である（続き）。
【図７】発明の実施の形態に係るシステムの動作を説明するための、携帯電話画面の例である（続き）。
【図８】発明の実施の形態に係る他のシステムの概略ブロック図である。
【図９】発明の実施の形態に係る他のシステムの処理フローチャートである。
【図１０】発明の実施の形態（バーコードに基づく決済処理）に係るシステムのブロック図である。
【図１１】発明の実施の形態（バーコードに基づく決済処理）に係るシステムの処理フローチャートである。
【図１２】発明の実施の形態（バーコードに基づく決済処理）に係るシステムの動作を説明するための、携帯電話画面の例である。
【図１３】発明の実施の形態（バーコードに基づく決済処理）に係るシステムの動作を説明するための、携帯電話画面の例である（続き）。
【図１４】発明の実施の形態（バーコードに基づく決済処理）に係るシステムの動作を説明するための、携帯電話画面の例である（続き）。
【図１５】発明の実施の形態（バーコードに基づく決済処理）に係るシステムの動作を説明するための、携帯電話画面の例である（続き）。
【図１６】発明の実施の形態（バーコードに基づく決済処理）に係るシステムの動作を説明するための、携帯電話画面の例である（続き）。
【図１７】発明の実施の形態（バーコードに基づく決済処理）に係るシステムの動作を説明するための、携帯電話画面の例である（続き）。
【図１８】発明の実施の形態（バーコードに基づく決済処理）に係るシステムの動作を説明するための、携帯電話画面の例である（続き）。
【図１９】発明の実施の形態（バーコードに基づく決済処理）に係るシステムの動作を説明するための、携帯電話画面の例である（続き）。
【図２０】発明の実施の形態（バーコードに基づく決済処理）に係るシステムの動作を説明するための、携帯電話画面の例である（続き）。
【符号の説明】
【００５２】
１    フロント系システム
１１  負荷分散機器
１２  ＡＰサーバ（正常系）
１３  ＡＰサーバ（待機系）
１４  ファイアウォール
２    バックオフィス系システム
２１  負荷分散機器
２２  ＡＰサーバ（正常系）
２３  ＡＰサーバ（待機系）
２４  ＤＢコントロールサーバ
２５  顧客マスタ等記憶部
２６  トランザクションＬＯＧ記憶部
３    電子マネーサービスサーバ
４    クレジット決済系サーバ
５    銀行・郵便貯金系決済サーバ
ＣＰ１  第１の携帯電話
ＣＰ２  第２の携帯電話
ＤＢ    データベース
ＮＥＴ  公衆回線網
ＰＣ  パソコン
ＳＶ１  バーコード変換サーバ
ＳＶ２  ＡＰサーバ・決済サーバ
【図１】
2008217277.tif 000003
【図２】
2008217277.tif 000004
【図３】
2008217277.tif 000005
【図４】
2008217277.tif 000006
【図５】
2008217277.tif 000007
【図６】
2008217277.tif 000008
【図７】
2008217277.tif 000009
【図８】
2008217277.tif 000010
【図９】
2008217277.tif 000011
【図１０】
2008217277.tif 000012
【図１１】
2008217277.tif 000013
【図１２】
2008217277.tif 000014
【図１３】
2008217277.tif 000015
【図１４】
2008217277.tif 000016
【図１５】
2008217277.tif 000017
【図１６】
2008217277.tif 000018
【図１７】
2008217277.tif 000019
【図１８】
2008217277.tif 000020
【図１９】
2008217277.tif 000021
【図２０】
2008217277.tif 000022